(57)【特許請求の範囲】
【請求項１】
所定の基準色域を有する基準タイプのディスプレイを用いてソース・ピクチャ・コンテンツの初期色補正を実行するステップであって、前記所定の基準色域を有する基準タイプのディスプレイに表示されるマスタリング済み色補正済みピクチャ・コンテンツを得る、当該実行するステップと、
非基準色域を有する非基準タイプのディスプレイから前記基準タイプのディスプレイへの色域マッピングのための色域マッピング仕様を規定する第１のメタデータ・セットを決定するステップと、
前記非基準タイプのディスプレイを用いて、前記マスタリング済み色補正済みピクチャ・コンテンツに対して後続色補正を実行するステップであって、前記マスタリング済み色補正済みピクチャ・コンテンツが前記基準タイプのディスプレイに表示されるのと同様に、前記後続色補正されたマスタリング済み色補正済みピクチャ・コンテンツが前記非基準タイプのディスプレイに表示されるようにする、ステップと、
前記初期色補正に対する前記後続色補正に基づき第２のメタデータ・セットを作成するステップであって、前記第２のメタデータ・セットは、前記非基準色域を有する非基準タイプのディスプレイを対象とする色補正に使用される、ステップと、
前記マスタリング済み色補正済みピクチャ・コンテンツを消費者消費用の非基準タイプのディスプレイに表示されるように色変換する後続色変換のための最終のメタデータ・セットを、前記第１のメタデータ・セットおよび前記第２のメタデータ・セットから生成するステップと、
を含み、
前記ソース・ピクチャ・コンテンツが、前記所定の基準色域を有する前記基準タイプのディスプレイについてのみマスタリングされる、色補正を行う方法。
【請求項２】
前記第１のメタデータ・セット、前記第２のメタデータ・セット、および前記最終のメタデータ・セットの少なくとも１つが、それぞれの参照テーブルで表される、請求項１に記載の方法。
【請求項３】
前記最終のメタデータ・セットを表す参照テーブルが、前記第２のメタデータ・セットを表す参照テーブルの反転バージョンと前記第１のメタデータ・セットを表す参照テーブルとを結合することによって形成される、請求項２に記載の方法。
【請求項４】
前記第１のメタデータ・セットが、前記マスタリング済み色補正済みピクチャ・コンテンツの帯域内および帯域外の少なくとも一方で最終消費ディスプレイに提供される、請求項１に記載の方法。
【請求項５】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項１に記載の方法。
【請求項６】
所定の基準色域を有する基準タイプのディスプレイを用いてソース・ピクチャ・コンテンツの初期色補正を実行するステップであって、前記所定の基準色域を有する基準タイプのディスプレイに表示されるマスタリング済み色補正済みピクチャ・コンテンツを得る、当該実行するステップと、
非基準色域を有する非基準タイプのディスプレイを用いて、前記マスタリング済み色補正済みピクチャ・コンテンツに対して後続色補正を実行するステップであって、前記マスタリング済み色補正済みピクチャ・コンテンツが前記基準タイプのディスプレイに表示されるのと同様に、前記後続色補正されたマスタリング済み色補正済みピクチャ・コンテンツが前記非基準タイプのディスプレイに表示されるようにする、ステップと、
前記初期色補正に対する前記後続色補正に基づき第１のメタデータ・セットを作成するステップであって、前記第１のメタデータ・セットは、前記非基準色域を有する非基準タイプのディスプレイを対象とする色補正に使用される、ステップと、
非基準タイプのディスプレイから基準タイプのディスプレイへの色域マッピング仕様を規定する第２のメタデータ・セットを決定するステップと、
前記マスタリング済み色補正済みピクチャ・コンテンツを消費者消費用の非基準タイプのディスプレイに表示されるように色変換する後続色変換のための最終のメタデータ・セットを、前記第１のメタデータ・セットおよび前記第２のメタデータ・セットから生成するステップと、
を含み、
前記ソース・ピクチャ・コンテンツが、前記所定の基準色域を有する前記基準タイプのディスプレイについてのみマスタリングされる、色補正を行う方法。
【請求項７】
前記第１のメタデータ・セット、前記第２のメタデータ・セット、および前記最終のメタデータ・セットの少なくとも１つが、それぞれの参照テーブルで表される、請求項６に記載の方法。
【請求項８】
前記最終のメタデータ・セットを表す参照テーブルが、前記第２のメタデータ・セットを表す参照テーブルの反転バージョンと前記第１のメタデータ・セットを表す参照テーブルとを結合することによって形成される、請求項７に記載の方法。
【請求項９】
前記第１のメタデータ・セットが、前記マスタリング済み色補正済みピクチャ・コンテンツの帯域内および帯域外の少なくとも一方で最終消費ディスプレイに提供される、請求項６に記載の方法。
【請求項１０】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項６に記載の方法。
【請求項１１】
所定の基準色域を有する基準タイプのディスプレイを用いてソース・ピクチャ・コンテンツの初期色補正を実行して、前記所定の基準色域を有する基準タイプのディスプレイに表示されるマスタリング済み色補正済みピクチャ・コンテンツを得る色補正モジュールと、
色域マッピングを実行して、非基準色域を有する非基準タイプのディスプレイから前記基準タイプのディスプレイへの色域マッピングのための色域マッピング仕様を規定する第１のメタデータ・セットを生成する色域マッピング・モジュールと、
前記非基準タイプのディスプレイを用いて、前記マスタリング済み色補正済みピクチャ・コンテンツに対して後続色補正を実行して、前記マスタリング済み色補正済みピクチャ・コンテンツが前記基準タイプのディスプレイに表示されるのと同様に、前記後続色補正されたマスタリング済み色補正済みピクチャ・コンテンツが前記非基準タイプのディスプレイに表示されるようにし、前記初期色補正に対する前記後続色補正に基づき第２のメタデータ・セットを作成する後続色補正モジュールであって、前記第２のメタデータ・セットは前記非基準色域を有する非基準タイプのディスプレイを対象とする色補正に使用される、後続色補正モジュールと、
前記マスタリング済み色補正済みピクチャ・コンテンツを消費者消費用の非基準タイプのディスプレイに表示されるように色変換する後続色変換のための最終のメタデータ・セットを、前記第１のメタデータ・セットおよび前記第２のメタデータ・セットから生成する最終メタデータ・セット生成器と、
を備え、
前記ソース・ピクチャ・コンテンツが、前記所定の基準色域を有する前記基準タイプのディスプレイについてのみマスタリングされる、色補正を行うシステム。
【請求項１２】
前記最終のメタデータ・セットが、基準タイプのディスプレイに表示されるマスタリング済み色補正済みピクチャ・コンテンツ以外のいかなるマスタリング済みコンテンツも生成することなく生成される、請求項１１に記載のシステム。
【請求項１３】
前記第１のメタデータ・セット、前記第２のメタデータ・セット、および前記最終のメタデータ・セットの少なくとも１つが、それぞれの参照テーブルで表される、請求項１１に記載のシステム。
【請求項１４】
前記最終のメタデータ・セットを表す参照テーブルが、前記第２のメタデータ・セットを表す参照テーブルの反転バージョンと前記第１のメタデータ・セットを表す参照テーブルとを結合することによって形成される、請求項１３に記載のシステム。
【請求項１５】
前記最終のメタデータ・セットが、前記マスタリング済み色補正済みピクチャ・コンテンツの帯域内および帯域外の少なくとも一方で最終消費ディスプレイに提供される、請求項１１に記載のシステム。
【請求項１６】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項１１に記載のシステム。
【請求項１７】
前記色補正モジュールと前記後続色補正モジュールが、単一の要素として構成される、請求項１１に記載のシステム。
【請求項１８】
所定の基準色域を有する基準タイプのディスプレイを用いてソース・ピクチャ・コンテンツの初期色補正を実行して、前記所定の基準色域を有する基準タイプのディスプレイに表示されるマスタリング済み色補正済みピクチャ・コンテンツを得る色補正モジュールと、
非基準色域を有する非基準タイプのディスプレイを用いて、前記マスタリング済み色補正済みピクチャ・コンテンツに対して後続色補正を実行して、前記マスタリング済み色補正済みピクチャ・コンテンツが前記基準タイプのディスプレイに表示されるのと同様に、前記後続色補正されたマスタリング済み色補正済みピクチャ・コンテンツが前記非基準タイプのディスプレイに表示されるようにし、前記初期色補正に対する前記後続色補正に基づき第１のメタデータ・セットを作成する後続色補正モジュールであって、前記第１のメタデータ・セットは、前記非基準色域を有する非基準タイプのディスプレイを対象とする色補正に使用される、後続色補正モジュールと、
色域マッピングを実行して、非基準タイプのディスプレイから基準タイプのディスプレイへの色域マッピング仕様を規定する第２のメタデータ・セットを生成する色域マッピング・モジュールと、
前記マスタリング済み色補正済みピクチャ・コンテンツを消費者消費用の非基準タイプのディスプレイに表示されるように色変換する後続色変換のための最終のメタデータ・セットを、前記第１のメタデータ・セットおよび前記第２のメタデータ・セットから生成する最終メタデータ・セット生成器と、
を含み、
前記ソース・ピクチャ・コンテンツが、前記所定の基準色域を有する前記基準タイプのディスプレイについてのみマスタリングされる、色補正を行うシステム。
【請求項１９】
前記最終のメタデータ・セットが、基準タイプのディスプレイに表示されるマスタリング済み色補正済みピクチャ・コンテンツ以外のいかなるマスタリング済みコンテンツも生成することなく生成される、請求項１８に記載のシステム。
【請求項２０】
前記第１のメタデータ・セット、前記第２のメタデータ・セット、および前記最終のメタデータ・セットの少なくとも１つが、それぞれの参照テーブルで表される、請求項１８に記載のシステム。
【請求項２１】
前記最終のメタデータ・セットを表す参照テーブルが、前記第２のメタデータ・セットを表す参照テーブルの反転バージョンと前記第１のメタデータ・セットを表す参照テーブルとを結合することによって形成される、請求項２０に記載のシステム。
【請求項２２】
前記最終のメタデータ・セットが、前記マスタリング済み色補正済みピクチャ・コンテンツの帯域内および帯域外の少なくとも一方で最終消費ディスプレイに提供される、請求項１８に記載のシステム。
【請求項２３】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項１８に記載のシステム。
【請求項２４】
前記色補正モジュールと前記後続色補正モジュールが、単一の要素として構成される、請求項１８に記載のシステム。
【請求項２５】
所定の基準色域を有する基準タイプのディスプレイを用いてソース・ピクチャ・コンテンツの初期色補正を実行する手段であって、前記所定の基準色域を有する基準タイプのディスプレイに表示されるマスタリング済み色補正済みピクチャ・コンテンツを得る、当該実行する手段と、
非基準色域を有する非基準タイプのディスプレイから前記基準タイプのディスプレイへの色域マッピングのための色域マッピング仕様を規定する第１のメタデータ・セットを決定する手段と、
前記非基準タイプのディスプレイを用いて、前記マスタリング済み色補正済みピクチャ・コンテンツに対して後続色補正を実行して、前記マスタリング済み色補正済みピクチャ・コンテンツが前記基準タイプのディスプレイに表示されるのと同様に、前記後続色補正されたマスタリング済み色補正済みピクチャ・コンテンツが前記非基準タイプのディスプレイに表示されるようにし、前記初期色補正に対する前記後続色補正に基づき第２のメタデータ・セットを作成する手段であって、前記第２のメタデータ・セットは、前記非基準色域を有する非基準タイプのディスプレイを対象とする色補正に使用される、手段と、
前記マスタリング済み色補正済みピクチャ・コンテンツを消費者消費用の非基準タイプのディスプレイに表示されるように色変換する後続色変換のための最終のメタデータ・セットを、前記第１のメタデータ・セットおよび前記第２のメタデータ・セットから生成する手段と、
を備え、
前記ソース・ピクチャ・コンテンツが、前記所定の基準色域を有する前記基準タイプのディスプレイについてのみマスタリングされる、色補正を行うシステム。
【請求項２６】
前記第１のメタデータ・セット、前記第２のメタデータ・セット、および前記最終のメタデータ・セットの少なくとも１つが、それぞれの参照テーブルで表される、請求項２５に記載のシステム。
【請求項２７】
前記最終のメタデータ・セットを表す参照テーブルが、前記第２のメタデータ・セットを表す参照テーブルの反転バージョンと前記第１のメタデータ・セットを表す参照テーブルとを結合することによって形成される、請求項２６に記載のシステム。
【請求項２８】
前記最終のメタデータ・セットが、前記マスタリング済み色補正済みピクチャ・コンテンツの帯域内および帯域外の少なくとも一方で最終消費ディスプレイに提供される、請求項２５に記載のシステム。
【請求項２９】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項２５に記載のシステム。
【請求項３０】
所定の基準色域を有する基準タイプのディスプレイを用いてソース・ピクチャ・コンテンツの初期色補正を実行して、前記所定の基準色域を有する基準タイプのディスプレイに表示されるマスタリング済み色補正済みピクチャ・コンテンツを得る手段と、
非基準色域を有する非基準タイプのディスプレイを用いて、前記マスタリング済み色補正済みピクチャ・コンテンツに対して後続色補正を実行して、前記マスタリング済み色補正済みピクチャ・コンテンツが前記基準タイプのディスプレイに表示されるのと同様に、前記後続色補正されたマスタリング済み色補正済みピクチャ・コンテンツが前記非基準タイプのディスプレイに表示されるようにし、前記初期色補正に対する前記後続色補正に基づき第１のメタデータ・セットを作成する手段であって、前記第１のメタデータ・セットは、前記非基準色域を有する非基準タイプのディスプレイを対象とする色補正に使用される、手段と、
非基準タイプのディスプレイから基準タイプのディスプレイへの色域マッピング仕様を規定する第２のメタデータ・セットを決定する手段と、
前記マスタリング済み色補正済みピクチャ・コンテンツを消費者消費用の非基準タイプのディスプレイに表示されるように色変換する後続色変換のための最終のメタデータ・セットを、前記第１のメタデータ・セットおよび前記第２のメタデータ・セットから生成する手段と、
を備え、
前記ソース・ピクチャ・コンテンツが、前記所定の基準色域を有する前記基準タイプのディスプレイについてのみマスタリングされる、色補正を行うシステム。
【請求項３１】
前記第１のメタデータ・セット、前記第２のメタデータ・セット、および前記最終のメタデータ・セットの少なくとも１つが、それぞれの参照テーブルで表される、請求項３０に記載のシステム。
【請求項３２】
前記最終のメタデータ・セットを表す参照テーブルが、前記第２のメタデータ・セットを表す参照テーブルの反転バージョンと前記第１のメタデータ・セットを表す参照テーブルとを結合することによって形成される、請求項３１に記載のシステム。
【請求項３３】
前記最終のメタデータ・セットが、前記マスタリング済み色補正済みピクチャ・コンテンツの帯域内および帯域外の少なくとも一方で最終消費ディスプレイに提供される、請求項３０に記載のシステム。
【請求項３４】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項３０に記載のシステム。
【発明の詳細な説明】
【技術分野】
【０００１】
本願は、２００７年４月３日出願の米国仮出願第６０／９２１５７９号の利益を請求するものである。
【０００２】
本発明は、一般にテレビジョン・ディスプレイに関し、より詳細には、異なる色域（ｃｏｌｏｒ  ｇａｍｕｔ）を有する複数のディスプレイ上で予測可能な結果をもたらすための色補正を行う方法およびシステムに関する。
【背景技術】
【０００３】
現在の動画産業では、動画コンテンツの色は、ほとんどの場合、陰極線管（ＣＲＴ）の蛍光体の色によって規定される単一の色域のディスプレイについて評価される。これらの色は、標準精細度ではヨーロッパ放送連合（ＥＢＵ）または米国映画テレビ技術者協会の色標準（ＳＭＰＴＥ−Ｃ）に対応し、高精細度では国際電気通信連合（ＩＴＵ）の７０９色域に対応している。これらの標準は、ディスプレイの基準色域（ＲＣＧ）の決定に使用される現行の標準である。しかし、動画コンテンツの消費者の間では、現在、非標準色域のディスプレイが普及している。
【０００４】
対象ディスプレイの色域とは異なる基準色域のディスプレイ上でピクチャの色を編集すると、その結果得られた色が、対象ディスプレイ上では満足のいかない色になる可能性がある。得られる色が満足のいかない色になるケースについて説明するために、以下、２つのケースについて述べる。
【０００５】
第１のケースは、色域の大きさは基準ディスプレイとほぼ同じであるが、原色はコンテンツ作成中の基準ディスプレイの原色と同じではない民生用ディスプレイに関するケースである。この状況では、それらの民生用ディスプレイ上で正確に色を表現できることを保証することが望ましい。
【０００６】
第２のケースは、当技術分野で利用されている既存の広色域ディスプレイに関するケースである。この状況では、これらの広色域ディスプレイを基準にして民生用ディスプレイの色補正を行う方法は存在しない。例えば、これらの民生用ディスプレイは、異なる基準色域を使用することができるが、広色域標準に従って色を表現する機能は備えている場合も備えていない場合もある。
【０００７】
カラー・テレビジョンが米国で最初に導入されたときの状況と類似する点がある。当時は数多くの様々な原色の組合せが利用されており、統一した色測定を行うことができなかった。しかし、ある蛍光体製造業者が生産した相当量の蛍光体を主要なテレビジョン製造業者の１つが備蓄したことにより、準標準が事実上確立され、その後最終的に１つの標準（ＳＭＰＴＥ−Ｃ）が確立された。しかし、連邦通信委員会（ＦＣＣ）はこれを採用せず、テレビジョン製造業界はこの対立を抱えていくことになった。米国映画テレビ技術者協会（ＳＭＰＴＥ）は、全米テレビジョン放送方式標準化委員会（ＮＴＳＣ）の色をＳＭＰＴＥ−Ｃモニタでエミュレートする試みを何度か行ったが、最終的に当時の技術的な理由で失敗に終わった。
【０００８】
ディスプレイの色域は、選択するディスプレイ技術によって決まる。現在では、消費者は、例えば液晶ディスプレイ（ＬＣＤ）、プラズマ、陰極線管（ＣＲＴ）、ディジタル・ライト・プロセッシング（ＤＬＰ）、シリコン結晶反射型ディスプレイ（ＳＸＲＤ）などの技術（本明細書では「ディスプレイ・タイプ」とも呼ぶ）の中から選ぶことができる。ただし、異なるディスプレイ技術の間、また同じディスプレイ技術でも２つの代表的なディスプレイの間には、かなりの違いがある可能性がある。例えば、２つの液晶ディスプレイ・セットは、異なる光源セットを備えることができる。このような光源セットの一方が、冷陰極蛍光灯（ＣＣＦＬ）であることもある。この場合、色域は、主として使用する蛍光体によって決まる。従来は、これらの光源では、広い色域を使用することができなかった。実際に、これらの光源を用いたディスプレイは、国際電気通信連合（ＩＴＵ）の高精細度用７０９色標準による７０９色域の全ての色を再現することができなかった。しかし、近年の開発により、色域が７０９色域よりもさらに広い、いわゆる広色域冷陰極蛍光灯（Ｗ−ＣＣＦＬ）を使用した製品が商品化されている。液晶ディスプレイ技術のもう１つの構成要素は、カラー・フィルタである。カラー・フィルタは、色域を狭くして光出力を高くし、従って光効率を高くするように設計することもできるし、発光効率を有し色域が広くなるように設計することもできる。さらに、ＬＣＤディスプレイのＣＣＦＬバックライト・ユニット（ＢＬＵ）を、さらに広い色域を有するＲＧＢ  ＬＥＤ（発光ダイオード）ＢＬＵで置き換える傾向もある。
【０００９】
ディジタル・ライト・プロセッシング・ディスプレイおよびシリコン結晶反射型ディスプレイ（リア・プロジェクション・ディスプレイも含む）は、光源からの光をフィルタリングする反射型ディスプレイである。現在、これらの装置の色域を増大させる様々な技術がある。実際に、現時点で、これらの異なる技術を利用したディスプレイのいくつかは、既に現在適用可能な基準色域に比べて増大させた色域を有している。
【００１０】
広色域ディスプレイの登場により、従来より広い範囲の色を表示することが可能になっている。ディジタル・ビデオ・ディスク（ＤＶＤ）、テレビジョン放送および／またはビデオ・オーバ・インターネット・プロトコル（ＶＯＩＰ）の現在のビデオ・コンテンツは、基準色域を有する色空間で符号化されるので、何年も前の広色域表示が不可能だった頃に設定された規則に従っている。実際に、最近までは、現在の基準色域を表現することさえ困難だった。
【００１１】
今日では、状況は変化した。拡張色域が可能になり、さらに広い色域を利用したいという要求がある。しかし、現在好まれている方向性は、別の広色域の原色の組合せを選ぶのではなく、開放的で非制限的な色標準を用いることである。このような標準の例としては、ディジタル・シネマ用のＸＹＺ、または民生用テレビジョン用のｘｖＹＣＣ（ＩＥＣ６１９６６−２−３）がある。他の例としては、例えば、ｓＹＣＣ（国際電気標準会議（ＩＥＣ）６１９６６−２−１）、ＩＴＵ−Ｒ  ＢＴ．１３６１、またはコンピュータ・グラフィックスおよびスチル・ピクチャ写真用のｅ−ｓＲＧＢ（フォトグラフィック・アンド・イメージング・マニュファクチャラーズ・アソシエーション（Ｐｈｏｔｏｇｒａｐｈｉｃ  ａｎｄ  Ｉｍａｇｉｎｇ  Ｍａｎｕｆａｃｔｕｒｅｒｓ  Ａｓｓｏｃｉａｔｉｏｎ）（ＰＩＭＡ）７６６７）などがある。
【００１２】
同時に、現在入手できる様々なディスプレイで使用されている色域に関する重要な変化がある。最近まで、程度の差はあっても、色域は標準的な陰極線管の蛍光体によって決定されていた。現在では、上述のように、表示できる色の範囲は、使用される表示技術およびハードウェア設計によって決まる。図１を参照すると、現在入手可能なディスプレイの色域の測定値の全体を、参照番号１００で示してある。明らかなように、現在のところ、現在得られる色域の測定値１００の間には、相当な差がある。これらの様々な入手可能なディスプレイの色域の中に、この例ではＩＴＵ−Ｒ  Ｂｔ．７０９に対応しているソース・マテリアルの基準色域と等しいものが存在しないことに留意されたい。図１を参照すると、最も広い色域を有するディスプレイは、黄緑色を呈する試験用液晶オン・シリコン（ＬＣＯＳ）ディスプレイ、および青緑色を呈する広色域バックライトを有する液晶ディスプレイ（ＬＣＤ）であった。
【００１３】
さらに、現在のディスプレイは、適用できる標準で指定されている基準原色を、単純にそれぞれのディスプレイに対応する原色（例えばそれぞれのディスプレイ・タイプ、それぞれのディスプレイで実現される色域など）で置き換えるだけのようであり、過去に異なる陰極線管の蛍光体を用いていたのと同様である。その結果、望ましい色が現れない。すなわち、現れる色が、意図した色と違ってしまう。例えば、もみの木が松の木のように見えてしまったり、トマトがオレンジのように見えてしまったりする。ただし、原色のマッピングは、最も原始的且つ安価な色域マッピング方法である。
【００１４】
広色域ディスプレイ上で広色域マテリアルを表現する場合にも、その広色域マテリアルの色域が広色域ディスプレイの色域と異なるために色が適切に表示されない可能性がある問題がある。実際に、ｘｖＹＣＣまたはＸＹＺのような上述の非制限的な色標準を使用することによって、１つまたは複数の特定の広色域ディスプレイでは表示することができない色が伝達される可能性は常にある。
【００１５】
ある色補正方法では、ソースの原色をディスプレイの原色に３×３マトリクス化する（ただし、これを行う場合は予めビデオ信号を線形化する必要がある）。この解決策では、ディスプレイの色域の範囲外の色が伝達されたときに問題が生じる。例えば、赤、緑および青の３つの原色を有するディスプレイで、表示しようとする色が緑色（例えば原色の緑の変化色）であり、その色が表示範囲外にある場合を考慮されたい。このような状況では、通常は、表示しようとする色は、その最大範囲にクリッピングされる。問題は、誤った色再現、色相、飽和度および輝度のエラーとして現れる。この悪影響は、色が階調表現されている場合（例えばアニメーション映画で最も良く見られる）には悪化し、偽輪郭も現れる。偽輪郭とは、ビデオ信号処理または表示中にアーチファクトが生じた結果、ピクチャ内に誤った構造または物体が現れる現象である。
【００１６】
以下のような別の例を考慮されたい。「シアニッシュ」ホワイト（ｃｙａｎｉｓｈ  ｗｈｉｔｅ：藍色がかった白）は、広色域ディスプレイにおいて、青＝Ｍａｘ、赤＝０．８×Ｍａｘ、および緑＝Ｍａｘとして定義される。ここで、「Ｍａｘ」は、許容可能な最大値を表す。青の飽和度がこれより低い狹色域ディスプレイでは、青がクリッピングされることになり、白は緑がかった色になる。この問題を、図３に示す。図３を参照すると、色域制限によるブルーイッシュ・ホワイト（ｂｌｕｉｓｈ  ｗｈｉｔｅ：青みがかった白）の階調の色相変化の全体が、参照番号３００で示してある。詳細には、望ましい結果を図３の左側に示して参照番号３１０で表し、実際の結果を図３の右側に示して参照番号３５０で表す。参照番号３８０および対応する文章で示すように、青のクリッピングによって白色は黄色に変化する。
【００１７】
従って、適切な色域マッピング方法を使用して、使用しているディスプレイ上で色をレンダリングすることが重要である。図２を参照すると、例示的な色域マッピングの全体が、参照番号２００で示してある。図２は、「色域１」および「色域２」を断面として示し、「色域１」が「色域２」に色域マッピングによってマッピングされる。色域マッピング２００では、輝度の変化を縦軸（通常はＹ軸と呼ばれる）に示し、クロミナンスの変化を横軸（通常はＸ軸と呼ばれる）に示している。この例では、「色域２」は、「色域１」より小さい。ただし、「色域２」が「色域１」よりも大きい反対のケースも可能であることを理解されたい。
【００１８】
図４を参照すると、後に基準色域とは異なる色域を有するディスプレイ上に表示することができるコンテンツを、基準色域を有するディスプレイを用いて色補正するワークフローを示す例示的なハイレベル図の全体が、参照番号４００で示してある。
【００１９】
図４の色補正ワークフロー４００の望ましくない結果は、基準色表示（ＲＣＧ）のディスプレイ上で色補正を行ったときに、第２の色域または色域２（ＣＧ２）を有するディスプレイ上の色が正しく再現されないことである。
【００２０】
色補正ワークフロー４００には、コンテンツ作成側４８０とコンテンツ消費者側４９０とがある。ＲＣＧディスプレイ４８２は、コンテンツ作成側４８０で使用される。ＲＣＧディスプレイ４９２およびＣＧ２ディスプレイ４９４は、コンテンツ消費者側５９０で使用される。
【００２１】
ピクチャ・ソース・コンテンツは、例えば、ピクチャ・ソース・コンテンツ記憶装置４２０に記憶することができる。色補正済みピクチャ・コンテンツは、例えば、色補正済みピクチャ・コンテンツ記憶装置４４０に記憶することができる。
【００２２】
色補正モジュール４３０は、同じタイプであり且つ同じ色域を有するディスプレイ上でのみ正しく見えるコンテンツを生成する。従って、ＣＧ２ディスプレイ上の色は、ＲＣＧディスプレイ上で色補正したときの色と同じには見えない。ＲＣＧディスプレイ上の色の少なくとも一部はクリッピングされ、少なくとも一部は誤った色相で表示されることになる可能性が極めて高い。
【００２３】
この問題を、ＣＩＥ  ＴＣ８−０３の「色域マッピング・アルゴリズムの評価のためのガイドライン（Ｇｕｉｄｅｌｉｎｅｓ  ｆｏｒ  ｔｈｅ  Ｅｖａｌｕａｔｉｏｎ  ｏｆ  Ｇａｍｕｔ  Ｍａｐｐｉｎｇ  Ａｌｇｏｒｉｔｈｍｓ）」における試験画像の一部である「Ｓｋｉ画像」を用いて、図４に示す。これは、Ｆｕｊｉｆｉｌｍ  Ｅｌｅｃｔｒｏｎｉｃ  Ｉｍａｇｉｎｇ  Ｌｔｄ．（英国）の厚意によるものである。図から分かるように、コンテンツ消費者側では、ピクチャは、ＲＣＧのディスプレイ上でしか正しく取り出すことができない。ピクチャは不適切な見え方をしており、ＲＣＧ（ＣＧ２）と等しくない色域を有するディスプレイを使用して表示した場合には、上述のアーチファクトを呈する。
【発明の概要】
【発明が解決しようとする課題】
【００２４】
本発明は、従来技術の上記その他の欠点および不利に対処するものであり、異なる色域を有する複数のディスプレイ上で予測可能な結果をもたらすように色補正を行う方法およびシステムに関するものである。
【課題を解決するための手段】
【００２５】
本発明の１つの特徴によれば、色補正を行う方法が提供される。この方法は、基準色域を有する基準タイプのディスプレイを用いてソース・ピクチャ・コンテンツの初期色補正を実行して、基準色域を有する基準タイプのディスプレイに表示されるマスタリング済み色補正済みピクチャ・コンテンツを得るステップを含む。この方法は、さらに、非基準色域を有する非基準タイプのディスプレイから基準タイプのディスプレイへの色域マッピングのための色域マッピング仕様を規定する第１のメタデータ・セットを決定するステップを含む。この方法は、さらに、非基準タイプのディスプレイおよびマスタリング済み色補正済みピクチャ・コンテンツを用いて後続色補正を実行して、非基準色域を有する非基準タイプのディスプレイを対象とする第２のメタデータ・セットを作成するステップを含む。この方法は、さらに、マスタリング済み色補正済みピクチャ・コンテンツを消費者消費用の非基準タイプのディスプレイに表示されるように色変換する後続色変換のための最終のメタデータ・セットを、第１のメタデータ・セットおよび第２のメタデータ・セットから生成するステップを含む。ソース・ピクチャ・コンテンツは、基準色域を有する基準タイプのディスプレイについてのみ消費者による消費用にマスタリングされる。
【００２６】
本発明の別の特徴によれば、色補正を行う方法が提供される。この方法は、非基準色域を有する非基準タイプのディスプレイを用いてソース・ピクチャ・コンテンツの初期色補正を実行して、非基準色域を有する非基準タイプのディスプレイに表示されるマスタリング済み色補正済みピクチャ・コンテンツを得、基準色域を有する基準タイプのディスプレイを対象とする初期色補正データを得るステップを含む。この方法は、さらに、初期色補正データおよびマスタリング済み色補正済みピクチャ・コンテンツを用いて色域マッピングを実行して、基準色域を有する基準タイプのディスプレイに表示されるようにマスタリング済み色補正済みピクチャ・コンテンツを修正するステップを含む。この方法は、さらに、基準色域を有する基準タイプのディスプレイおよび修正済みマスタリング済み色補正済みピクチャ・コンテンツを用いて後続色補正を実行して、基準色域を有する基準タイプのディスプレイに表示されるマスタリング済み色補正済みピクチャ・コンテンツを得るステップを含む。
【００２７】
本発明のさらに別の特徴によれば、色補正を行う方法が提供される。この方法は、基準色域を有する基準タイプのディスプレイを用いてソース・ピクチャ・コンテンツの初期色補正を実行して、基準色域を有する基準タイプのディスプレイに表示されるマスタリング済み色補正済みピクチャ・コンテンツを得るステップを含む。この方法は、さらに、非基準色域を有する非基準タイプのディスプレイおよびマスタリング済み色補正済みピクチャ・コンテンツを用いて後続色補正を実行して、非基準色域を有する非基準タイプのディスプレイを対象とする第１のメタデータ・セットを作成するステップを含む。この方法は、さらに、非基準タイプのディスプレイから基準タイプのディスプレイへの色域マッピング仕様を規定する第２のメタデータ・セットを決定するステップを含む。この方法は、さらに、マスタリング済み色補正済みピクチャ・コンテンツを消費者消費用の非基準タイプのディスプレイに表示されるように色変換する後続色変換のための最終のメタデータ・セットを、第１のメタデータ・セットおよび第２のメタデータ・セットから生成するステップを含む。ソース・ピクチャ・コンテンツは、基準色域を有する基準タイプのディスプレイについてのみ消費者による消費用にマスタリングされる。
【００２８】
本発明のさらに別の特徴によれば、色補正を行う方法が提供される。この方法は、基準色域を有する基準タイプのディスプレイを用いてソース・ピクチャ・コンテンツの初期色補正を実行して、基準色域を有する基準タイプのディスプレイに表示されるマスタリング済み色補正済みピクチャ・コンテンツを得るステップを含む。この方法は、さらに、非基準色域を有する非基準タイプのディスプレイと基準色域を有する基準タイプのディスプレイに表示されるマスタリング済み色補正済みピクチャ・コンテンツとを用いて後続色補正を実行して、後続色補正データを得るステップを含む。この方法は、さらに、後続色補正データおよび基準色域を有する基準タイプのディスプレイに表示されるマスタリング済み色補正済みピクチャ・コンテンツを用いて色域マッピングを実行して、非基準色域を有する非基準タイプのディスプレイに表示されるマスタリング済み色補正済みピクチャ・コンテンツを得るステップを含む。
【００２９】
本発明のさらに別の特徴によれば、色補正を行うシステムが提供される。このシステムは、基準色域を有する基準タイプのディスプレイを用いてソース・ピクチャ・コンテンツの初期色補正を実行して、基準色域を有する基準タイプのディスプレイに表示されるマスタリング済み色補正済みピクチャ・コンテンツを得る色補正モジュールを備える。このシステムは、さらに、色域マッピングを実行して、非基準色域を有する非基準タイプのディスプレイから基準タイプのディスプレイへの色域マッピングのための色域マッピング仕様を規定する第１のメタデータ・セットを生成する色域マッピング・モジュールを備える。このシステムは、さらに、非基準タイプのディスプレイおよびマスタリング済み色補正済みピクチャ・コンテンツを用いて後続色補正を実行して、非基準色域を有する非基準タイプのディスプレイを対象とする第２のメタデータ・セットを作成する後続色補正モジュールを備える。このシステムは、さらに、マスタリング済み色補正済みピクチャ・コンテンツを消費者消費用の非基準タイプのディスプレイに表示されるように色変換する後続色変換のための最終のメタデータ・セットを、第１のメタデータ・セットおよび第２のメタデータ・セットから生成する最終メタデータ・セット生成器を備える。ソース・ピクチャ・コンテンツは、基準色域を有する基準タイプのディスプレイについてのみ消費者による消費用にマスタリングされる。
【００３０】
本発明のさらに別の特徴によれば、色補正を行うシステムが提供される。このシステムは、非基準色域を有する非基準タイプのディスプレイを用いてソース・ピクチャ・コンテンツの初期色補正を実行して、非基準色域を有する非基準タイプのディスプレイに表示されるマスタリング済み色補正済みピクチャ・コンテンツを得、基準色域を有する基準タイプのディスプレイを対象とする初期色補正データを得る色補正モジュールを備える。このシステムは、さらに、初期色補正データおよびマスタリング済み色補正済みピクチャ・コンテンツを用いて色域マッピングを実行して、基準色域を有する基準タイプのディスプレイに表示されるようにマスタリング済み色補正済みピクチャ・コンテンツを修正する色域マッピング・モジュールを備える。このシステムは、さらに、基準色域を有する基準タイプのディスプレイおよび修正済みマスタリング済み色補正済みピクチャ・コンテンツを用いて後続色補正を実行して、基準色域を有する基準タイプのディスプレイに表示されるマスタリング済み色補正済みピクチャ・コンテンツを得る後続色補正モジュールを備える。
【００３１】
本発明のさらに別の特徴によれば、色補正を行うシステムが提供される。このシステムは、基準色域を有する基準タイプのディスプレイを用いてソース・ピクチャ・コンテンツの初期色補正を実行して、基準色域を有する基準タイプのディスプレイに表示されるマスタリング済み色補正済みピクチャ・コンテンツを得る色補正モジュールを備える。このシステムは、さらに、非基準色域を有する非基準タイプのディスプレイおよびマスタリング済み色補正済みピクチャ・コンテンツを用いて後続色補正を実行して、非基準色域を有する非基準タイプのディスプレイを対象とする第１のメタデータ・セットを作成する後続色補正モジュールを備える。このシステムは、さらに、色域マッピングを実行して、非基準タイプのディスプレイから基準タイプのディスプレイへの色域マッピング仕様を規定する第２のメタデータ・セットを生成する色域マッピング・モジュールを備える。このシステムは、さらに、マスタリング済み色補正済みピクチャ・コンテンツを消費者消費用の非基準タイプのディスプレイに表示されるように色変換する後続色変換のための最終のメタデータ・セットを、第１のメタデータ・セットおよび第２のメタデータ・セットから生成する最終メタデータ・セット生成器を備える。ソース・ピクチャ・コンテンツは、基準色域を有する基準タイプのディスプレイについてのみ消費者による消費用にマスタリングされる。
【００３２】
本発明のさらに別の特徴によれば、色補正を行うシステムが提供される。このシステムは、基準色域を有する基準タイプのディスプレイを用いてソース・ピクチャ・コンテンツの初期色補正を実行して、基準色域を有する基準タイプのディスプレイに表示されるマスタリング済み色補正済みピクチャ・コンテンツを得る色補正モジュールを備える。このシステムは、さらに、非基準色域を有する非基準タイプのディスプレイと基準色域を有する基準タイプのディスプレイに表示されるマスタリング済み色補正済みピクチャ・コンテンツとを用いて後続色補正を実行して、後続色補正データを得る後続色補正モジュールを備える。このシステムは、さらに、後続色補正データおよび基準色域を有する基準タイプのディスプレイに表示されるマスタリング済み色補正済みピクチャ・コンテンツを用いて色域マッピングを実行して、非基準色域を有する非基準タイプのディスプレイに表示されるマスタリング済み色補正済みピクチャ・コンテンツを得る色域マッピング・モジュールを備える。
【００３３】
本発明の上記その他の特徴、特色および利点は、以下の例示的な実施例の詳細な説明を添付の図面と関連づけて読めば明らかになるであろう。
【００３４】
本発明は、以下の例示的な図面によってより深く理解することができる。
【図面の簡単な説明】
【００３５】
【図１】従来技術による、現在入手可能なディスプレイの色域の測定値を示す図である。
【図２】従来技術による例示的な色域マッピングを示す図である。
【図３】従来技術による、色域制限によるブルーイッシュ・ホワイトの階調における色相変化を示す図である。
【図４】従来技術による、後に基準色域とは異なる色域を有するディスプレイ上に表示することができるコンテンツを基準色域を有するディスプレイを用いて色補正する例示的なワークフローを示すハイレベル図である。
【図５】本発明の一実施例による、ＲＣＧディスプレイのマスタおよびＣＧ２ディスプレイのメタデータを得るための色補正の例示的なワークフローを示すハイレベル図である。
【図６】本発明の一実施例による、ＲＣＧディスプレイのマスタおよびＣＧ２ディスプレイのマスタを得るための色補正の例示的なワークフローを示すハイレベル図である。
【図７】本発明の一実施例による出力色変換を得るための例示的な組合せを示す図である。
【図８】本発明の一実施例による、ＲＣＧディスプレイのマスタおよびＣＧ２ディスプレイのメタデータを得るための色補正の別の例示的なワークフローを示すハイレベル図である。
【図９】本発明の一実施例による、ＲＣＧディスプレイのマスタおよびＣＧ２ディスプレイのマスタを得るための色補正の別の例示的なワークフローを示すハイレベル図である。
【発明を実施するための形態】
【００３６】
本発明は、異なる色域を有する複数のディスプレイ上で予測可能な結果をもたらすための色補正を行う方法およびシステムに関する。
【００３７】
本明細書では、本発明について説明する。従って、本明細書に明示的には記述または図示されていなくても、本発明の趣旨および範囲内に含まれる、本発明を実施する様々な構成を、当業者なら考案することができることを理解されたい。
【００３８】
本明細書に記載する全ての例および条件に関する表現は、本発明と発明者が与える当技術分野をさらに進歩させるための概念とを読者が理解するのを助けるという教育的な目的を有するものであって、これらの具体的に列挙した例および条件に限定されるわけではないものと解釈されたい。
【００３９】
さらに、本発明の原理、特徴および実施例ならびに本発明の具体的な例について本明細書で述べる全ての記述は、その構造的均等物および機能的均等物の両方を含むものとする。さらに、それらの均等物には、現在既知の均等物と将来開発されるであろう均等物の両方が含まれる、すなわち、その構造にかかわらず同じ機能を実行する、将来開発される任意の要素が含まれるものとする。
【００４０】
従って、例えば、当業者なら、本明細書に示すブロック図が本発明を実施する例示的な回路の概念図を表していることを理解するであろう。同様に、任意のフローチャート、流れ図、状態遷移図、擬似コードなどが、コンピュータ可読媒体中に実質的に表現され、明示される場合もされない場合もあるコンピュータまたはプロセッサによって実行される様々なプロセスを表すことも理解されたい。
【００４１】
図面に示す様々な要素の機能は、専用のハードウェア、および適当なソフトウェアと連動してソフトウェアを実行することができるハードウェアを使用して実現することができる。プロセッサによって実現するときには、これらの機能は単一の専用プロセッサで実現することも、単一の共用プロセッサで実現することも、あるいはその一部を共用することもできる複数の個別プロセッサで実施することもできる。さらに、「プロセッサ」または「制御装置」という用語を明示的に用いていても、ソフトウェアを実行することができるハードウェアのみを指していると解釈すべきではなく、ディジタル信号プロセッサ（ＤＳＰ）ハードウェア、ソフトウェアを記憶するための読取り専用メモリ（ＲＯＭ）、ランダム・アクセス・メモリ（ＲＡＭ）および不揮発性記憶装置（ただしこれらに限定されない）などを暗に含むことがある。
【００４２】
従来の、およびまたは特注のその他ハードウェアも含まれることがある。同様に、図面に示す任意のスイッチも、概念的なものに過ぎない。スイッチの機能は、プログラム論理の動作によっても、専用論理によっても、プログラム制御と専用論理の相互作用によっても、あるいは手作業でも実施することができ、開発者が前後関係から具体的に判断して特定の技術を選択することができる。
【００４３】
本明細書の特許請求の範囲において、特定の機能を実行する手段として表現されている任意の要素は、例えば、（ａ）当該機能を実行する回路素子の組合せや、（ｂ）ファームウェアやマイクロコードなども含めた任意の形態のソフトウェアを、当該ソフトウェアを実行して当該機能を実行する適当な回路と組み合わせたものなども含む、当該機能を実行する任意の態様を含むものとする。特許請求の範囲によって定義される本発明は、列挙する様々な手段が実施する機能を、特許請求の範囲が要求するかたちで組み合わせることにある。従って、これらの機能を実施することができる任意の手段を、本明細書に示す手段の均等物とみなすものとする。
【００４４】
本明細書において、本発明の「一実施例」または「実施例」と述べていれば、それは、当該実施例と関連づけて述べられる特定の特色、構造、特性などが、本発明の少なくとも１つの実施例には含まれているということを意味する。従って、本明細書では様々な箇所で「一実施例では」または「実施例では」という表現が出てくるが、それら全てが必ずしも同じ実施例のことを言っているとは限らない。
【００４５】
本明細書で用いる頭字語ＣＧの意味は「色域（Ｃｏｌｏｒ  Ｇａｍｕｔ）」、ＣＧＭの意味は「色域マッピング（Ｃｏｌｏｒ  Ｇａｍｕｔ  Ｍａｐｐｉｎｇ）」、ＲＣＧの意味は「基準色域（Ｒｅｆｅｒｅｎｃｅ  Ｃｏｌｏｒ  Ｇａｍｕｔ）」、ＣＧ２の意味は「色域２（Ｃｏｌｏｒ  Ｇａｍｕｔ２）」である。
【００４６】
また、本明細書で用いる「ＲＣＧディスプレイ」という用語は、基準色域（ＲＣＧ）と呼ばれる色域タイプのディスプレイを意味し、「ＣＧ２ディスプレイ」という用語は、基準色域とは異なる第２の色域と呼ばれる色域タイプのディスプレイを意味する。
【００４７】
本明細書の開示は、実質的には、例えばＲＣＧディスプレイのピクチャとＣＧ２ディスプレイのピクチャ、あるいはＣＧ２ディスプレイのピクチャを再構築するためのメタデータなどに関連した説明であるが、入手可能な民生用ディスプレイの多様性を考慮すると、本発明の趣旨を逸脱することなく、複数のＣＧ２バージョンを生成することもできることを理解されたい。
【００４８】
さらに、本明細書で使用する「７０９色域」という用語およびそのバリエーションは、ＩＴＵ−Ｒ  Ｂｔ．７０９に定義される３つの蛍光三原色および白色点によって規定されるカラー・キューブ（ｃｏｌｏｒ  ｃｕｂｅ）を表す７０９カラー（７０９  ｃｏｌｏｒｓ）を表す。
【００４９】
また、メタデータの送受信に関連して本明細書で使用する「帯域内（ｉｎ−ｂａｎｄ）」という用語は、消費者装置が表示する色補正済みピクチャ・コンテンツと共にそのメタデータを送信および／または受信することを指す。一方、「帯域外（ｏｕｔ−ｏｆ−ｂａｎｄ）」という用語は、消費者装置が表示する色補正済みピクチャ・コンテンツとは別にメタデータを送信および／または受信することを指す。
【００５０】
さらに、本明細書で使用する「色補正（ｃｏｌｏｒ  ｃｏｒｒｅｃｔｉｏｎ）」および「カラー・グレーディング（ｃｏｌｏｒ  ｇｒａｄｉｎｇ）」という用語は、ポスト・プロダクションで行われる、ピクチャが創造的な意図を表現するように色を調整するための創造的プロセスを同義的に指す。
【００５１】
さらに、本明細書で使用する「マスタ（ｍａｓｔｅｒ）」という用語は、表示コンテンツを例えばＲＣＧやＣＧ２などの特定の色域に合わせてマスタリングした場合の、マスタリングされた表示コンテンツを指す。
【００５２】
また、本明細書で使用する「メタデータ（ｍｅｔａｄａｔａ）」という用語は、例えば、色処理機構を制御し、オンにし、またはオフにし、またそれらの機能を修正するのに使用される、整数値、非整数値、および／またはブール値などのデータを指す。さらに、メタデータには、マッピング・テーブルの仕様も含まれる。
【００５３】
例えば、一実施例では、３Ｄ  ＬＵＴ（３次元参照テーブル）を用いて色マッピング・テーブルを実現することもできる。このＬＵＴは、赤、緑、または青の何れか１つの色成分をそれぞれが表す３つの入力値を受信して、入力された赤、緑および青の組合せのそれぞれに対して、例えば赤、緑および青の３つの出力値の既定の組合せを生成するために使用される。この場合には、コンテンツ作成側から消費者側へのメタデータは、ＬＵＴ仕様を含むことになる。
【００５４】
別の実施例では、例えば各色成分に対して以下のように定義される「ＧＯＧ（利得、オフセット、ガンマ）」を実行する回路などのマッピング関数の仕様を含むこともある。
Ｖｏｕｔ＝利得＊（オフセット＋Ｖｉｎ）＾ガンマ
【００５５】
この場合には、メタデータは、９個の値、すなわち３つの色成分それぞれに対して一組の利得、オフセットおよびガンマ値を含むことになる。
【００５６】
もちろん、本発明は前述の実施例に限定されるわけではなく、本明細書に与える本発明の教示があれば、当技術分野および関連技術分野の当業者なら、本発明の趣旨を逸脱することなく、その他の態様のメタデータを含むその他の実施例を容易に思いつくことができる。
【００５７】
さらに、本明細書で用いる「色補正」という用語は、コンテンツ作成側（消費者側に対して）で手作業で適切な（好ましい）色を選択する創造的手続きを指す。従って、「色補正モジュール」およびそれに類する用語は、カラリスト（ｃｏｌｏｒｉｓｔ）が手作業で色を補正するために必要な構造を指す。従って、その構造は、グラフィカル・ユーザ・インタフェース（ＧＵＩ）などカラリストに対して提示されるインタフェース、例えば置換および／または修正する色に関する選択をカラリストが行うことができるようにする選択手段、ならびにカラリストが行った選択を実施する実施手段を含むことができる。選択手段は、キーボード、キーパッド、マウス、ボタン、スイッチなどのうち１つまたは複数を含むことができる。
【００５８】
上述のように、本発明は、異なる色域を有する複数のディスプレイ上で予測可能な結果をもたらすための色補正を行う方法およびシステムに関する。本発明では、様々な対象ディスプレイ間の色の差を補正する。本発明は、現在のコンテンツ（例えば符号化などの技術）およびディスプレイ（例えばディスプレイ・タイプ、およびそれらの間の差、ならびに例えばハードウェアやソフトウェアなどによって生じる様々なディスプレイ・タイプ）を対象とするだけでなく、将来のコンテンツおよびディスプレイも、それらが様々な色域の仕様に関する場合には対象とすることを理解されたい。
【００５９】
一実施例では、本発明を使用して、例えば、基準色域を有するディスプレイ上で色補正を実行するが、色補正に使用した基準色域とは異なる色域を有するディスプレイ上に補正した色を表示するという問題に対処することができる。
【００６０】
図５を参照すると、ＲＣＧディスプレイのマスタおよびＣＧ２ディスプレイのメタデータを得るための色補正の例示的なワークフローを示すハイレベル図の全体が、参照番号５００で示してある。
【００６１】
いくつかの従来技術の手法には、ディスプレイの種類が変わるとそれぞれの表示特性が活かされない、すなわちＲＣＧディスプレイの制限によってＣＧ２ディスプレイ上の色が十分な飽和度に達しない可能性が高い、あるいはその逆のことが起こる可能性が高いという欠点があることを理解されたい。
【００６２】
この問題を克服するために、本発明の一実施例では、２ステップの色補正を提供する。色補正ワークフロー５００には、コンテンツ作成側５８０とコンテンツ消費側５９０とがある。ＲＣＧディスプレイ５８２およびＲＣＧディスプレイ５８４は、コンテンツ作成側５８０で使用される。ＲＣＧディスプレイ５９２およびＣＧ２ディスプレイ５９４は、コンテンツ消費者側５９０で使用される。ＲＣＧディスプレイ５８２を、この実施例におけるコンテンツ作成側５８０のメイン・ディスプレイと考えることができる。
【００６３】
第１のステップでは、色補正モジュール５３０によって、ＲＣＧディスプレイ５８２用に色を補正する。色補正モジュール５３５によって実行される２次色補正プロセスでは、カラリストは、ＣＧ２ディスプレイ５８４上での自分の芸術的意図を保存できる方法で、色を調節することができる。この手法では、２つのマスタ間の色の差の制御の自由度を高めることができる。必要なら、２つのディスプレイを入れ替えて、ＣＧ２ディスプレイ５８４で第１の色補正を行い、ＲＣＧディスプレイ５８２で第２の色補正を行うこともできる。第１の色補正モジュール５３０と後続色補正モジュール５３５の間には、異なるディスプレイのためのコンテンツを準備する色域回路５８６がある。ただし、例えば、色域回路が後続色補モジュール５３５とＣＧ２ディスプレイ５８４の間に位置するなど、その他の構成も可能であることに留意されたい。さらに、全てのマッピングを手作業で行うことも可能である。
【００６４】
ピクチャ・ソース・コンテンツは、例えば、ピクチャ・ソース・コンテンツ記憶装置５２０に記憶することができる。ＲＣＧディスプレイの色補正済みピクチャ・コンテンツは、例えば、色補正済みピクチャ・コンテンツ記憶装置５４０に記憶することができる。メタデータ５１０は、例えば、メタデータ記憶装置５１７に記憶することができる。
【００６５】
ＲＣＧディスプレイのマスタは、初期色補正中に、初期色補正モジュール５３０によって生成される。メタデータ５１０は、コンテンツの変換を記述している。本明細書においてその形成方法から結合メタデータとも呼ばれるメタデータ５１０は、ＣＧ２からＲＣＧへのマッピングの仕様と、マスタが生成された初期色補正（色補正モジュール５３０によって実行される）に対する後続色補正（色補正モジュール５３５によって実行される）で得られる後続色補正情報（本明細書ではサブ色変化メタデータ（ｓｕｂ  ｃｏｌｏｒ  ｃｈａｎｇｅ  ｍｅｔａｄａｔａ）とも呼ばれる）とを必要とする色域マッピング５８６に基づいて生成される。最終メタデータ生成器５６６によって形成された結合メタデータ５１０は、消費者ディスプレイ装置（例えばＣＧ２ディスプレイ５９４）に提供され、この消費者ディスプレイ装置は、その後、この結合メタデータ５１０からＣＧ２ディスプレイのバージョンを再構築することができる。
【００６６】
図６を参照すると、ＲＣＧディスプレイのマスタおよびＣＧ２ディスプレイのマスタを得るための色補正の例示的なワークフローを示すハイレベル図の全体が、参照番号６００で示してある。
【００６７】
一実施例では、ＲＣＧディスプレイ用に１つのマスタを作成し、後続色補正を実行して、ＣＧ２ディスプレイの２次マスタを作成する。
【００６８】
色補正ワークフロー６００には、コンテンツ作成側６８０とコンテンツ消費側６９０とがある。ＲＣＧディスプレイ６８２およびＲＣＧディスプレイ６８４は、コンテンツ作成側６８０で使用される。ＲＣＧディスプレイ６９２およびＣＧ２ディスプレイ６９４は、コンテンツ消費者側６９０で使用される。ＲＣＧディスプレイ６８２を、この実施例におけるコンテンツ作成側６８０のメイン・ディスプレイと考えることができる。
【００６９】
第１のステップでは、色補正モジュール６３０によって、ＲＣＧディスプレイ６８２用に色を補正する。色補正モジュール６３５によって実行される２次色補正プロセスでは、カラリストは、ＣＧ２ディスプレイ上での自分の芸術的意図を保存できる方法で、色を調節することができる。この手法では、２つのマスタ間の色の差の制御の自由度を高めることができる。必要なら、２つのディスプレイを入れ替えて、ＣＧ２ディスプレイ６８４で第１の色補正を行い、ＲＣＧディスプレイ６８２で第２の色補正を行うこともできる。第１の色補正モジュールと後続色補正モジュールの間には、異なるディスプレイのためのコンテンツを準備する色域回路がある。ただし、例えば、色域回路が後続色補モジュールとＣＧ２ディスプレイの間に位置するなど、その他の構成も可能であることに留意されたい。さらに、全てのマッピングを手作業で行うことも可能である。次いで、これら２つのバージョンを、別個のマスタとして記憶する。
【００７０】
ピクチャ・ソース・コンテンツは、例えば、ピクチャ・ソース・コンテンツ記憶装置６２０に記憶することができる。ＲＣＧディスプレイの色補正済みピクチャ・コンテンツは、例えば、色補正済みピクチャ・コンテンツ記憶装置６４５に記憶することができる。ＣＧ２ディスプレイの色補正済みピクチャ・コンテンツは、例えば、色補正済みピクチャ・コンテンツ記憶装置６４０に記憶することができる。
【００７１】
異なるＣＧ状況ごとに別個のマスタを有するのではなく、１つの「マザー」コンテンツと、所要のＣＧ２バージョンを取り出すのに必要な色変換を記述したメタデータとを有することが好ましい。コンテンツ消費側では、信号ソースをＣＧ２ディスプレイに接続する回路が設けられる。この回路は、ハードウェアおよび／またはソフトウェアで実施することができ、信号変換を実行してＲＣＧディスプレイのピクチャから所要のＣＧ２バージョンを生成する。色変換の仕様は、メタデータによって与えられる。
【００７２】
信号変換の仕様は、２つの主要な構成要素を含む。すなわち、後続色補正による色変化の仕様と、ＣＧ２マッピングの仕様（色補正に使用されるＣＧ２シミュレーション仕様の反転（ｉｎｖｅｒｓｅ））である（図７参照）。
【００７３】
図７を参照すると、出力色変換を得る例示的な組合せの全体が、参照番号７００で示してある。
【００７４】
色域マッピング（ＣＧＭ）仕様７１０は、色域マッピング（ＣＧＭ）仕様反転７２０を出力するインバータ・モジュールに入力される。色域マッピング（ＣＧＭ）仕様反転７２０は、色域マッピング（ＣＧＭ）仕様反転７２０を入力された色変換仕様６８８に適用して色変換仕様７３５を出力するアプリケーション・モジュール７３０に入力される。
【００７５】
両変換がともに参照テーブルとして実現される例示的なアプリケーションでは、得られる色変換仕様は、色変換で使用されたＣＧ特性を記述した参照テーブルを反転させることによって生成される参照テーブルとなる。色補正変換が先に行われ、その後にＣＧ２のＣＧＭが行われる場合には、次いで、この参照テーブルを色変換の結果生成された参照テーブルと連結する。
【００７６】
図８を参照すると、ＲＣＧディスプレイのマスタおよびＣＧ２ディスプレイのメタデータを得るための色補正の例示的なワークフローを示すハイレベル図の全体が、参照番号８００で示してある。
【００７７】
色補正ワークフロー８００には、コンテンツ作成側８８０とコンテンツ消費側８９０とがある。ＲＣＧディスプレイ８８２およびＲＣＧディスプレイ８８４は、コンテンツ作成側８８０で使用される。ＲＣＧディスプレイ８９２およびＣＧ２ディスプレイ８９４は、コンテンツ消費者側８９０で使用される。ＲＣＧディスプレイ８８２を、この実施例におけるコンテンツ作成側８８０のメイン・ディスプレイと考えることができる。
【００７８】
ピクチャ・ソース・コンテンツは、例えば、ピクチャ・ソース・コンテンツ記憶装置８２０に記憶することができる。ＲＣＧディスプレイの色補正済みピクチャ・コンテンツは、例えば、色補正済みピクチャ・コンテンツ記憶装置８４０に記憶することができる。メタデータ８１０は、例えば、メタデータ記憶装置８１７に記憶することができる。
【００７９】
ＲＣＧディスプレイのマスタは、初期色補正中に、初期色補正モジュール８３０によって生成される。メタデータ８１０は、コンテンツの変換を記述している。本明細書においてその形成方法から結合メタデータとも呼ばれるメタデータ８１０は、ＣＧ２シミュレーション仕様と、マスタが生成された初期色補正（色補正モジュール８３０によって実行される）に対する後続色補正（色補正モジュール８３５によって実行される）で得られる後続色補正情報（本明細書ではサブ色変化メタデータとも呼ばれる）とを必要とする色域マッピング８８６に基づいて生成される。最終メタデータ生成器８６６によって形成された結合メタデータ８１０は、消費者ディスプレイ装置（例えばＣＧ２ディスプレイ８９４）に提供され、この消費者ディスプレイ装置は、その後、この結合メタデータ８１０からＣＧ２ディスプレイのバージョンを再構築することができる。
【００８０】
図９を参照すると、ＲＣＧディスプレイのマスタおよびＣＧ２ディスプレイのマスタを得るための色補正の例示的なワークフローを示すハイレベル図の全体が、参照番号９００で示してある。
【００８１】
一実施例では、ＲＣＧディスプレイ用に１つのマスタを作成し、後続色補正を実行して、ＣＧ２ディスプレイの２次マスタを作成する。
【００８２】
色補正ワークフロー９００には、コンテンツ作成側９８０とコンテンツ消費側９９０とがある。ＲＣＧディスプレイ９８２およびＲＣＧディスプレイ９８４は、コンテンツ作成側９８０で使用される。ＲＣＧディスプレイ９９２およびＣＧ２ディスプレイ９９４は、コンテンツ消費者側９９０で使用される。ＲＣＧディスプレイ９８２を、この実施例におけるコンテンツ作成側９８０のメイン・ディスプレイと考えることができる。
【００８３】
いくつかの従来技術の手法には、ディスプレイの種類が変わるとそれぞれの表示特性が活かされない、すなわちＲＣＧディスプレイの制限によってＣＧ２ディスプレイ上の色が十分な飽和度に達しない可能性が高い、あるいはその逆のことが起こる可能性が高いという欠点があることを理解されたい。
【００８４】
この問題を克服するために、本発明の一実施例では、２ステップの色補正を提供する。第１のステップでは、色補正モジュール９３０によって、ＲＣＧディスプレイ９８２用に色を補正する。色補正モジュール９３５によって実行される２次色補正プロセスでは、カラリストは、ＣＧ２ディスプレイ上での自分の芸術的意図を保存できる方法で、色を調節することができる。ただし、このシナリオでは、ピクチャの２つのバージョンが一致しないことが容認される。その後、この２つのバージョンが、別個のマスタとして記憶される。
【００８５】
ピクチャ・ソース・コンテンツは、例えば、ピクチャ・ソース・コンテンツ記憶装置９２０に記憶することができる。ＲＣＧディスプレイの色補正済みピクチャ・コンテンツは、例えば、色補正済みピクチャ・コンテンツ記憶装置９４５に記憶することができる。ＣＧ２ディスプレイの色補正済みピクチャ・コンテンツは、例えば、色補正済みピクチャ・コンテンツ記憶装置９４０に記憶することができる。
【００８６】
コンテンツ消費者側では、信号ソースをＣＧ２ディスプレイに接続する回路が設けられる。この回路は、ハードウェアおよび／またはソフトウェアで実施することができ、信号変換を実行してＲＣＧディスプレイのピクチャから所要のＣＧ２バージョンを生成する。
【００８７】
本発明の上記その他の特色および利点は、当業者なら本明細書の教示に基づいて容易に確認することができる。本発明の教示は、ハードウェア、ソフトウェア、ファームウェア、特殊目的プロセッサまたはそれらの組合せといった様々な形態で実施することができることを理解されたい。
【００８８】
本発明の教示は、ハードウェアとソフトウェアの組合せとして実施されることが最も好ましい。さらに、ソフトウェアは、プログラム記憶装置に実装されたアプリケーション・プログラムとして実施することができる。アプリケーション・プログラムは、任意の適当なアーキテクチャを備えるコンピュータにアップロードし、このコンピュータによって実行することができる。このコンピュータは、１つまたは複数の中央処理装置（ＣＰＵ）、ランダム・アクセス・メモリ（ＲＡＭ）および入出力（Ｉ／Ｏ）インタフェースなどのハードウェアを有するコンピュータ・プラットフォームに実装されることが好ましい。コンピュータ・プラットフォームは、オペレーティング・システムおよびマイクロ命令コードを含むこともできる。本明細書に記載の様々なプロセスおよび機能は、ＣＰＵによって実行することができる、マイクロ命令コードの一部またはアプリケーション・プログラムの一部あるいはそれらの任意の組合せとすることもできる。さらに、追加のデータ記憶装置や印刷装置など、その他の様々な周辺機器をコンピュータ・プラットフォームに接続することもできる。
【００８９】
さらに、添付の図面に示すシステム構成要素および方法の一部はソフトウェアで実施することが好ましいので、システム構成要素間またはプロセス機能ブロック間の実際の接続形態は、本発明を実施する態様によって変わることがあることを理解されたい。本明細書の教示があれば、当業者なら、上記の、またそれに類する本発明の実施態様または構成を思いつくことができるであろう。
【００９０】
本明細書では添付の図面を参照しながら例示的な実施例について説明したが、本発明はこれらの具体的な実施例に限定されるものではなく、当業者なら、本発明の範囲または趣旨を逸脱することなく様々な変更および修正を加えることができることを理解されたい。これらの変更および修正は全て、添付の特許請求の範囲に記載する本発明の範囲に含まれるものとする。
【図１】
0005475637.tif 000002
【図２】
0005475637.tif 000003
【図４】
0005475637.tif 000004
【図５】
0005475637.tif 000005
【図６】
0005475637.tif 000006
【図７】
0005475637.tif 000007
【図８】
0005475637.tif 000008
【図９】
0005475637.tif 000009
【図３】
0005475637.tif 000010